(57)【要約】【課題】ユーザにとって最適な定型文を自動登録する文字入力装置、及び、この文字入力装置を備えた電子機器を提供すること。【解決手段】キーワード登録部１０６は、入力された文字列を、キーワードとして登録する。定型文登録部１０９は、キーワード登録部１０６に登録されたキーワードが含まれる文章を、定型文として登録する。表示処理部１１１は、定型文登録部１０９が登録した定型文を表示パネル２０４に表示出力する。【選択図】図１
2011191910.tif 000002
【特許請求の範囲】
【請求項１】
文字変換機能を備え、１つ以上の定型文を表示装置に表示し、当該表示装置に表示された定型文の中から所望の定型文をユーザに選択させ当該選択された定型文を装置に入力する文字入力装置において、
文字を入力する文字入力部と、
前記文字入力部から入力された文字列を、キーワードとして登録するキーワード登録部と、
前記文字入力部から入力された文章に、前記キーワード登録部に登録されたキーワードが含まれる場合、当該キーワードが含まれる文章を、定型文として登録する定型文登録部とを備え、
前記定型文登録部が登録した定型文を表示出力することを特徴とする文字入力装置。
【請求項２】
請求項１に記載の文字入力装置において、
前記キーワード登録部は、前記文字入力部から入力された文字列を、ユーザからの入力操作に基づき、キーワードとして登録することを特徴とする文字入力装置。
【請求項３】
請求項１に記載の文字入力装置において、
前記文字入力部によって作成された文字列の中から所定の条件を満たす単語をキーワードとして抽出するキーワード抽出部を備え、
前記キーワード登録部は、前記キーワード抽出部が抽出した前記所定の条件を満たす単語を、キーワードとして登録することを特徴とする文字入力装置。
【請求項４】
請求項１〜３の何れかに記載の文字入力装置において、
前記文字入力部によって作成された文字列を所定の記号毎に区切り、文章を抽出する文章抽出部と、
前記文章抽出部が抽出した文章の中から、前記キーワード登録部に登録されたキーワードが含まれる文章を定型文として抽出する定型文抽出部とを備え、
前記定型文登録部は、前記定型文抽出部が抽出した文章を定型文として登録することを特徴とする文字入力装置。
【請求項５】
請求項１〜４の何れかに記載の文字入力装置を備えたことを特徴とする電子機器。
【発明の詳細な説明】
【技術分野】
【０００１】
本発明は、文字変換機能を備えた文字入力装置、及び、文字入力装置を備えた電子機器に係り、特に、ユーザの文字入力操作を簡易化する文字入力装置、及び、文字入力装置を備えた電子機器に関する。
【背景技術】
【０００２】
通常、文字変換機能を備えた文字入力装置が、携帯電話機等の電子機器に搭載されている。この文字変換機能は、ユーザの指示操作に基づき、ユーザによって入力された文字を他の文字に変換する処理を実行する。例えば、平仮名を漢字やカタカナに変換する処理を実行する。
【０００３】
また、このような文字入力装置は、ユーザが頻繁に入力する文章を予め装置内に定型文として登録したり、もしくはユーザ自らが定型文を登録する機能を有している。ユーザは、登録されている定型文を呼び出して、この定型文に基づき、文章を作成することができる。
【０００４】
このような定型文の登録を簡易に行うため、定型文の自動登録を行う機能を備えた通信装置が、特許文献１に開示されている。この通信装置は、電子メールの宛先欄に記録された宛先、本文欄に記録された文章の冒頭部分を自動的に登録し、次回、この宛先に電子メールを送信する際に、登録された冒頭文を利用するものである。
【先行技術文献】
【特許文献】
【０００５】
【特許文献１】特開２００６−２０９４９４号公報
【発明の概要】
【発明が解決しようとする課題】
【０００６】
しかしながら、ユーザ自らが定型文を登録する場合、手間が掛かり面倒である。また、特許文献１に開示されている自動登録は、文章の内容や登録の必要性を無視して単に電子メールの冒頭部分を自動登録しているだけで、ユーザにとって最適な定型文を自動登録するものではない。
【０００７】
本発明は、かかる実情に鑑みてなされたものであり、ユーザにとって最適な定型文を自動登録する文字入力装置、及び、この文字入力装置を備えた電子機器を提供することを目的とする。
【課題を解決するための手段】
【０００８】
第１の技術手段は、文字変換機能を備え、１つ以上の定型文を表示装置に表示し、当該表示装置に表示された定型文の中から所望の定型文をユーザに選択させ当該選択された定型文を装置に入力する文字入力装置において、文字を入力する文字入力部と、前記文字入力部から入力された文字列を、キーワードとして登録するキーワード登録部と、前記文字入力部から入力された文章に、前記キーワード登録部に登録されたキーワードが含まれる場合、当該キーワードが含まれる文章を、定型文として登録する定型文登録部とを備え、前記定型文登録部が登録した定型文を表示出力することを特徴とする文字入力装置である。
【０００９】
第２の技術手段は、第１の技術手段において、前記キーワード登録部は、前記文字入力部から入力された文字列を、ユーザからの入力操作に基づき、キーワードとして登録するものである
【００１０】
第３の技術手段は、第１の技術手段において、前記文字入力部によって作成された文字列の中から所定の条件を満たす単語をキーワードとして抽出するキーワード抽出部を備え、前記キーワード登録部は、前記キーワード抽出部が抽出した前記所定の条件を満たす単語を、キーワードとして登録するものである
【００１１】
第４の技術手段は、第１〜第３の何れかの技術手段において、前記文字入力部によって作成された文字列を所定の記号毎に区切り、文章を抽出する文章抽出部と、前記文章抽出部が抽出した文章の中から、前記キーワード登録部に登録されたキーワードが含まれる文章を定型文として抽出する定型文抽出部とを備え、前記定型文登録部は、前記定型文抽出部が抽出した文章を定型文として登録するものである
【００１２】
第５の技術手段は、第１〜第４の何れかの技術手段の文字入力装置を備えたことを特徴とする電子機器である。
【発明の効果】
【００１３】
本発明によれば、ユーザが自ら入力したキーワードや頻繁に使用されるキーワードを含む文章が入力された場合、この文章を定型文として自動登録するので、ユーザにとって最適な定型文を簡易な操作で登録できる。また、文字入力時に登録された定型文を利用することで、文字入力の負担を軽減できる。
【図面の簡単な説明】
【００１４】
【図１】本発明に係る文字入力装置の機能ブロック図である。
【図２】キーワード手動登録処理の流れを説明するフロー図である。
【図３】キーワード手動登録処理を説明する概念図である。
【図４】キーワード自動登録処理の流れを説明するフロー図である。
【図５】キーワード自動登録処理を説明する概念図である。
【図６】定型文登録処理の流れを説明するフロー図である。
【図７】定型文登録処理を説明する概念図である。
【図８】定型文表示処理の流れを説明するフロー図である。
【図９】定型文表示処理を説明する概念図である。
【発明を実施するための形態】
【００１５】
本発明に係る文字入力装置は、文字変換機能を備え、１つ以上の定型文を表示装置に表示し、この表示装置に表示された定型文の中から所望の定型文をユーザに選択させこの選択された定型文を装置に入力する。
【００１６】
また、本発明に係る文字入力装置は、入力された文章にキーワードが含まれる場合、このキーワードが含まれる文章を、定型文として登録し表示出力する。
【００１７】
図１は、本発明に係る文字入力装置の機能ブロック図である。
文字入力装置１は、電子機器２に搭載される。
文字入力装置１は、文字入力部１０１、形態素解析部１０２、単語記憶部１０３、キーワード抽出部１０４、キーワード抽出条件設定部１０５、キーワード登録部１０６、文章抽出部１０７、定型文抽出部１０８、定型文登録部１０９、定型文呼出部１１０、表示処理部１１１、制御部１１２を備える。
【００１８】
電子機器２は、携帯電話機、ＰＨＳ、スマートフォン、パソコン、ハンディーターミナル等の電子機器である。以下の説明では、電子機器２として携帯電話機を例示して説明する。
【００１９】
電子機器２は、操作部２０１、電子メール処理部２０２、携帯電話機能部２０３、表示パネル２０４、制御部２０５を備える。
【００２０】
まず、文字入力装置１の機能ブロックについて説明する。
文字入力部１０１は、文字入力装置１に文字を入力する処理を実行する。文字入力部１０１は、ユーザの操作に基づき、電子機器２の操作部２０１から入力された文字を他の文字に変換する文字変換機能や、一般的な文字入力エディタ機能を備え、入力された文字を制御部１１２や、電子メール処理部２０２に出力する。以下の説明では、文字には、句読点、感嘆符、いわゆる絵文字、顔文字等の記号も含まれるとする。
【００２１】
形態素解析部１０２は、文法情報、単語リストに基づき、制御部１１２から入力された文字列を、意味を持つ最小単位である形態素（単語とも言う）に分割し、分割した単語の品詞を解析する。なお、この文字列は、文字入力部１０１によって作成された文字列であり、文字入力部１０１によって作成された文字列としては、後述するように、例えば、電子メールの送信文がある。
そして、分割した単語の中から所定の抽出条件Ｃ１を満たす単語を単語記憶部１０３に記憶する。抽出条件Ｃ１として、例えば、２文字以上の文字数からなる単語であり、かつ、助詞、格助詞以外の単語のみを抽出する等様々な条件を設定できる。
【００２２】
単語記憶部１０３は、メモリ等から構成され、形態素解析部１０２から入力された単語を記憶する。
【００２３】
キーワード抽出部１０４は、単語記憶部１０３に記憶された複数の単語の中から、キーワード抽出条件設定部１０５によって設定された所定の抽出条件Ｃ２を満たす単語を抽出し、キーワード登録部１０６に出力する。なお、このキーワードは、自動的に定型文を登録する処理に必要となる単語である。
【００２４】
キーワード抽出条件設定部１０５は、キーワード抽出部１０４において実行されるキーワード抽出処理に必要となる抽出条件Ｃ２を設定する。抽出条件Ｃ２として、例えば、キーワードの文字数、単語の出現頻度等様々な条件を設定できる。また、キーワード抽出条件設定部１０５は、この出現頻度のクリア条件等も設定することができる。
【００２５】
キーワード登録部１０６は、文字入力部１０１から制御部１１２を介して入力された文字列を、ユーザからの入力操作に基づき、キーワードとして登録する。この文字列は、後述するキーワード手動登録処理により入力された文字列である。
また、キーワード登録部１０６は、キーワード抽出部１０４から入力された単語を、キーワードとして登録する。
【００２６】
文章抽出部１０７は、制御部１１２から入力された文字列を所定の記号毎に区切り、文章を抽出する。なお、この文字列は、前述した、文字入力部１０１によって作成された文字列である。
ここで、所定の記号とは、句読点、感嘆符、いわゆる絵文字、顔文字等の文章を区切る際に使用される各種記号を意味する。また、文章とは、思想、感情等を言葉で表現する際の、一区切りのまとまった内容をもつ最小の単位であり、一語または複数の語から構成されるものを意味する。
【００２７】
定型文抽出部１０８は、文章抽出部１０７が抽出した文章の中から、キーワード登録部１０６に登録されたキーワードが含まれる文章を定型文として抽出して、定型文登録部１０９に出力する。
【００２８】
定型文登録部１０９は、定型文抽出部１０８から入力された文章を、定型文として登録する。なお、定型文として登録した際、この文章に含まれているキーワードをハイライト表示するために、キーワード部分が特定できる情報もあわせて登録することが好ましい。また、定型文登録部１０９は、自動登録された定型文の利用頻度からキーワード登録部１０６に登録されているキーワードの妥当性を判断して、キーワード登録部１０６に登録されているキーワードの中で、利用頻度が低いキーワードを削除するようにしてもよい。
【００２９】
定型文呼出部１１０は、ユーザからの操作指示に基づき、定型文登録部１０９に登録されている定型文を呼び出して、表示処理部１１１に出力する。
【００３０】
表示処理部１１１は、各種画像表示処理を実行し、電子機器２の表示パネル２０４に各種画像を表示する。例えば、定型文呼出部１１０から入力された定型文を電子機器２の表示パネル２０４に表示する。
【００３１】
制御部１１２は、計時機能等を備え、文字入力装置１の文字入力部１０１等の各機能ブロックの動作制御を実行する。特に、文字入力部１０１から入力された文字列を一時的に記憶し、キーワード登録部１０６に出力する。また、電子機器２の制御部２０５から入力された文字列を形態素解析部１０２や文章抽出部１０７に出力する。
更に、キーワード抽出部１０４におけるキーワード抽出処理の実行状況等を監視する。なお、この実行状況の監視については図６で説明する。
【００３２】
次に、電子機器２の機能ブロックについて説明する。
操作部２０１は、文字入力キー、テンキー、各種操作キー等から構成される。なお、操作部２０１として、タッチパネルを採用してもよい。操作部２０１は、文字入力モードにおいて入力された文字を、文字入力装置１の文字入力部１０１に出力する。
【００３３】
電子メール処理部２０２は、電子メール作成処理、電子メールの送受信処理を実行する電子メール機能を備える。特に、電子メール作成時において、電子メール処理部２０２は、文字入力部１０１から入力された文字列を、電子メールの件名欄、本文欄などに記録する。
【００３４】
携帯電話機能部２０３は、電話機能や通信機能を備え、基地局等とデータの送受信を実行する。
表示パネル２０４は、液晶パネル、有機ＥＬパネル等の表示パネルから構成され、表示装置として機能する。
制御部２０５は、各機能ブロックを制御し、後述する電子メール内の文字列を抽出し、文字入力装置１の制御部１１２に出力する。
【００３５】
なお、本実施例では、文字入力装置１の制御部１１２と、電子機器２の制御部２０５とを別々にしているが、これらを合わせてもよい。
【００３６】
以下に、図２〜図７を用いて、本発明に係る文字入力装置１における定型文登録処理を説明する。
まず、図２、図３を用いて、キーワード手動登録処理を説明する。
図２は、キーワード手動登録処理の流れを説明するフロー図で、図３は、キーワード手動登録処理を説明する概念図である。以下の説明では、図３を随時参照しながら、図２のフロー図に基づきキーワード手動登録処理の流れを説明する。本実施例では、後述する定型文一覧画面及びキーワード登録画面は、定型文アプリ画面から選択するようにしているが、これに限るものではない。
【００３７】
ステップＳ１では、文字入力装置１は、定型文アプリ画面表示処理を実行する。
具体的には、ユーザは、操作部２０１の操作キーを操作して、電子機器２に対して定型文アプリ画面表示指示を行う。制御部２０５が操作部２０１を介してこの指示を受け付けると、この指示を文字入力装置１の制御部１１２に転送する。この指示を受けた制御部１１２は、定型文アプリ画面用ＯＳＤデータをメモリ（図示しない）から読み出し、表示処理部１１１に出力する。
【００３８】
文字入力装置１の表示処理部１１１は、制御部１１２から入力された定型文アプリ画面用ＯＳＤデータを電子機器２の表示パネル２０４に表示出力する。
このとき、図３（Ａ）に示すように、表示パネル２０４に、定型文アプリ画面が表示される。
【００３９】
ステップＳ２では、文字入力装置１は、前述のように、キーワード登録画面表示処理を実行する。
このとき、図３（Ｂ）に示すように、表示パネル２０４に、キーワード登録画面が表示される。
【００４０】
ステップＳ３では、文字入力装置１は、前述のように、キーワード新規登録画面表示処理を実行する。
このとき、図３（Ｃ）に示すように、表示パネル２０４に、キーワード新規登録画面が表示される。
【００４１】
ステップＳ４では、文字入力装置１の文字入力部１０１は、制御部１１２にキーワードを出力する。
具体的には、ユーザは、電子機器２の操作部２０１の操作キーを操作して、図３（Ｃ）に示すように、キーワード新規登録画面を介して、ユーザがよく利用する文字列を入力する。操作部２０１は、入力された文字列を文字入力部１０１に出力する。文字入力部１０１は、ユーザからの指示に基づき、入力された文字列に対して文字変換処理を実行する。図３（Ｃ）、図３（Ｄ）の例では、“でんしゃ”を“電車”に変換している。そして、文字入力部１０１は、この変換後の文字を制御部１１２に出力する。
【００４２】
ステップＳ５では、文字入力装置１のキーワード登録部１０６は、ユーザからの指示操作に基づき、制御部１１２から入力された文字、すなわちキーワードを登録する。
具体的には、ユーザが、図３（Ｄ）に示すように、電子機器２の操作部２０１の登録キー２０１ａを操作して登録指示を行う。
【００４３】
制御部１１２は、制御部２０５を介してこの登録指示を受け付けると、文字入力部１０１から既に入力されたキーワードをキーワード登録部１０６に出力する。キーワード登録部１０６は、制御部１１２から入力されたキーワードを登録する。
図３（Ｅ）は、このキーワード、前述の例では、“電車”がキーワードとして登録されている状態を示している。なお、図３（Ｅ）に示されている“残業”、“バス”、“会社”は、キーワード手動登録処理によって既に登録されているキーワードである。
【００４４】
なお、図３（Ｂ）に示した状態において、ユーザが、電子機器２の操作部２０１の自動キー２０１ｂを操作すると、図３（Ｆ）に示すように、後述する自動登録処理によって登録されたキーワードが表示される。
【００４５】
次に、図４、図５を用いて、キーワード自動登録処理を説明する。
図４は、キーワード自動登録処理の流れを説明するフロー図で、図５は、キーワード自動登録処理を説明する概念図である。以下の説明では、図５を随時参照しながら、図４のフロー図に基づきキーワード自動登録処理の流れを説明する。本実施例では、送信メール内の文字列から自動的にキーワードを抽出する方法について述べるが、対象となる文字列はこれに限る必要はない。
【００４６】
ステップＳ１１で、電子機器２の電子メール処理部２０２は、ユーザの操作に基づき作成された電子メールを送信する。
同時に、ステップＳ１２で、文字入力装置１の制御部１１２は、この電子メール内の文字列を形態素解析部１０２に出力する。なお、後述するように、この文字列は、文章抽出部１０７にも出力される。
図５（Ａ）は、送信された電子メール（以下、送信メールと略記する）を示す。なお、送信メール（１）〜送信メール（Ｎ）の順は、送信された順番を時系列で示している。
【００４７】
具体的には、電子機器２の電子メール処理部２０２は、文字入力部１０１から入力された文字列、つまり、文字入力部１０１が作成した文字列に基づき電子メールを作成し、この電子メールの送信処理を実行すると共に、この電子メールを制御部２０５に出力する。制御部２０５は、電子メール処理部２０２から入力された電子メールの件名、本文領域等に記録されている文字列を抽出し、文字入力装置１の制御部１１２に出力する。制御部１１２は、入力された文字列を形態素解析部１０２に出力する。この形態素解析部１０２に出力される文字列が、文字入力部１０１が作成した文字列に相当する。
【００４８】
ステップＳ１３で、形態素解析部１０２は、制御部１１２から入力された文字列に対して形態素解析処理を実行し、抽出条件Ｃ１を満たす単語を抽出する。そして、形態素解析部１０２は、抽出した単語を単語記憶部１０３に記憶する。
【００４９】
図５（Ｂ）に示す“形態素解析結果データ”は、送信メール（１）等の文字列を形態素毎に分割した状態を示している。ここでは、形態素を“/”で区切っている。
図５（Ｃ）は、単語記憶部１０３に記憶されている単語を示している。なお、後述するように、送信メール（１）の文字列から単語を抽出した時点では、“お疲れ様”〜“お願い”までの単語しか単語記憶部１０３に記憶されていない。図中の“格納単語数（Ｋ個）は、単語記憶部１０３に記憶することができる最大単語数を示す。
【００５０】
ステップＳ１４で、キーワード抽出部１０４は、単語記憶部１０３に記憶された複数の単語の中から、キーワード抽出条件設定部１０５によって設定された抽出条件Ｃ２を満たす単語を抽出する。抽出条件Ｃ２として、例えば、単語の出現頻度が２回以上であり、かつ、キーワード手動登録処理によって登録された単語以外の単語のみを抽出するなど様々な条件を設定できる。
【００５１】
ステップＳ１５で、キーワード抽出部１０４は、単語記憶部１０３に記憶された複数の単語の中から、抽出条件Ｃ２を満たす単語を抽出できたか否かを判定する。
この単語を抽出できた場合（ステップＳ１５／ＹＥＳ）、ステップＳ１６で、キーワード抽出部１０４は、抽出した単語をキーワード登録部１０６に出力し、キーワード登録部１０６は、キーワード抽出部１０４から入力されたキーワードを登録する。
【００５２】
次に、ステップＳ１７で、制御部１１２は、次の送信メールが有るか否かを判定する。次の送信メールが有る場合（ステップＳ１７／ＹＥＳ）、ステップＳ１１に移る。次の送信メールが無い場合（ステップＳ１７／ＮＯ）、ステップＳ１８に移る。
【００５３】
なお、ステップＳ１５で、キーワード抽出部１０４が、単語記憶部１０３に記憶された複数の単語の中から、抽出条件Ｃ２を満たす単語を抽出できない場合（ステップＳ１５／ＮＯ）、ステップＳ１６の処理を省略し、ステップＳ１７に移る。
【００５４】
電子機器２の電子メール処理部２０２における電子メールアプリが起動中の場合（ステップＳ１８／ＹＥＳ）、文字入力装置１の制御部１１２は、ステップＳ１７の判定処理を継続する。電子メール処理部２０２における電子メールアプリが終了した場合や、電子機器２の電源がオフになった場合（ステップＳ１８／ＮＯ）、文字入力装置１の制御部１１２は、ステップＳ１７の判定処理を停止する。この停止によって、ステップＳ１１以下が終了する。
【００５５】
ここで、キーワードの登録処理について、具体的に説明する。
図５（Ａ）に示した送信メール（１）が送信されると、ステップＳ１１〜ステップＳ１３で説明したように、送信メール（１）の文字列の中から抽出条件Ｃ１を満たす単語が単語記憶部１０３に記憶される。この時点では、図５（Ｃ）に示したように、“お疲れ様”〜“お願い”までの単語が単語記憶部１０３に記憶されている。そして、抽出条件Ｃ２として、「単語の出現頻度が２回以上であり、かつ、キーワード手動登録処理によって登録された単語以外の単語」が設定されているので、キーワード抽出部１０４は、抽出条件Ｃ２を満たす単語を抽出することができず（ステップＳ１５／ＮＯ）、ステップＳ１７に移る。
【００５６】
次に、図５（Ａ）に示した送信メール（２）が送信されると（ステップＳ１７／ＹＥＳ）、ステップＳ１１〜ステップＳ１３で説明したように、送信メール（２）の文字列の中から抽出条件Ｃ１を満たす単語が単語記憶部１０３に記憶される。この時点では、図５（Ｃ）に示したように、送信メール（１）の文字列から抽出された“お疲れ様”〜“お願い”に加えて、送信メール（２）の文字列から抽出された“おはよう”〜“遅刻”が記憶されているが、前述したように、キーワード抽出部１０４は、抽出条件Ｃ２を満たす単語を抽出することができず（ステップＳ１５／ＮＯ）、ステップＳ１７に移る。
【００５７】
更に、図５（Ａ）に示した送信メール（ｘ）が送信されると（ステップＳ１７／ＹＥＳ）、ステップＳ１１〜ステップＳ１３で説明したように、送信メール（ｘ）の文字列の中から抽出条件Ｃ１を満たす単語が単語記憶部１０３に記憶される。この時点では、図５（Ｃ）に示したように、送信メール（１）、送信メール（２）の文字列から抽出された単語に加えて、送信メール（ｘ）の文字列から抽出された“お疲れ様”〜“よろしく”が記憶される。この場合、キーワード抽出部１０４は、抽出条件Ｃ２を満たす単語である“お疲れ様”を抽出するので（ステップＳ１５／ＹＥＳ）、図５（Ｄ）に示すように、キーワード登録部１０６は、このキーワードである“お疲れ様”を登録する。なお、図中の“格納単語数（Ｌ個）は、キーワード登録部１０６に登録できる最大キーワード数を示す。
【００５８】
以後、送信メール（ｙ）〜送信メール（ｎ）の文字列についても、上記処理が実行されて、図５（Ｄ）に示すように、各キーワードが自動登録される。キーワード登録部１０６に自動登録されるキーワードは、図（Ｅ）に示すように、抽出されたキーワード“お疲れ様”、“おはよう”、“飲み”である。図中の“登録可能単語数（Ｍ個）は、キーワード登録部１０６に自動登録できる最大キーワード数を示す。
なお、キーワード登録部１０６にキーワードが自動登録される際に、キーワードと共に登録日時を記憶し、この登録日時から所定日時が経過したら、この所定日時が経過したキーワードを削除してもよい。このようにすることで、キーワード登録部１０６の空き容量が増える。
【００５９】
図５（Ｄ）、図５（Ｆ）に示すように、“電車”、“残業”は、キーワード手動登録処理によって登録されたキーワードであるので、キーワード自動登録処理では登録されない。なお、図中の“登録可能単語数（Ｎ個）は、キーワード登録部１０６に手動登録できる最大キーワード数を示す。
【００６０】
次に、図６、図７を用いて、定型文登録処理を説明する。
図６は、定型文登録処理の流れを説明するフロー図で、図７は、定型文登録処理を説明する概念図である。以下の説明では、図７を随時参照しながら、図６のフロー図に基づき定型文登録処理の流れを説明する。本実施例では、送信メール内の文字列から自動的に定型文を登録する方法について述べるが、対象となる文字列はこれに限る必要はない。
【００６１】
図４で説明したように、電子機器２の電子メール処理部２０２が、ユーザの操作に基づき作成された電子メールを送信する（ステップＳ２１）。このとき、図４で説明したように、電子メール内の文字列が、制御部１１２に入力されている。
図７（Ａ）は、送信メールを示す。送信メール（１）〜送信メール（Ｎ）の順は、送信された順番を時系列で示しており、図５（Ａ）に示した送信メール（１）〜送信メール（Ｎ）と同じものである。
このステップＳ２１は、ステップＳ１１と同じ処理であり、ステップ２２以降の処理は、ステップＳ１１の処理が終了した時点で実行されるものである。
【００６２】
ステップ２２で、制御部１１２が、図４のステップＳ１５で実行されるキーワード抽出判定処理等が終了したことを検知すると（ステップ２２／ＹＥＳ）、ステップＳ２３で、制御部１１２は、電子機器２の制御部２０５から既に入力された文字列を文章抽出部１０７に出力する。
【００６３】
具体的には、制御部１１２が、キーワード登録部１０６が単語をキーワードとして登録したこと（図４のステップＳ１６）を検知した場合、又は、キーワード抽出部１０４が、抽出条件Ｃ２を満たす単語を抽出しないこと（図４のステップＳ１５／ＮＯ）を検知した場合、制御部１１２は、入力された文字列を文章抽出部１０７に出力する。
【００６４】
ステップＳ２４で、文章抽出部１０７は、制御部１１２から入力された文字列を所定の記号毎に区切り、文章を抽出し、定型文抽出部１０８に出力する。図７（Ｂ）は、送信メールに含まれる文字列を所定の記号毎に区切って、文章を抽出した状態を示している。ここでは、所定の記号とは、例えば、“！”、“？”、“。”であり、“/”で文章を区切っている。
【００６５】
ステップＳ２５で、定型文抽出部１０８は、文章抽出部１０７から入力された文章に、キーワード登録部１０６に登録されたキーワードが含まれるか否かを判定する。
【００６６】
このキーワードが含まれる場合（ステップＳ２５／ＹＥＳ）、ステップＳ２６で、定型文抽出部１０８は、このキーワードが含まれる文章を、定型文登録部１０９に出力し、定型文登録部１０９は、文章抽出部１０７から入力された文章を定型文として登録する。なお、ステップＳ２５で、文章抽出部１０７から入力された文章に、キーワード登録部１０６に登録されたキーワードが含まれていないと判定した場合（ステップＳ２５／ＮＯ）、ステップＳ２６の処理を省略し、ステップＳ２７に移る。
【００６７】
次に、ステップＳ２７で、制御部１１２は、次の送信メールが有るか否かを判定する。次の送信メールが有る場合（ステップＳ２７／ＹＥＳ）、ステップＳ２１に移る。次の送信メールが無い場合（ステップＳ２７／ＮＯ）、ステップＳ２８に移る。
【００６８】
電子機器２の電子メール処理部２０２における電子メールアプリが起動中の場合（ステップＳ２８／ＹＥＳ）、文字入力装置１の制御部１１２は、ステップＳ２７の判定処理を継続する。電子メール処理部２０２における電子メールアプリが終了した場合や、電子機器２の電源がオフになった場合（ステップＳ２８／ＮＯ）、文字入力装置１の制御部１１２は、ステップＳ２７の判定処理を停止する。この停止によって、ステップＳ２１以下が終了する。
【００６９】
ここで、定型文登録処理について、具体的に説明する。
図７（Ａ）に示した送信メール（１）が送信されると、図４で説明したステップＳ１１〜Ｓ１６の処理、次いで、図６で説明したステップ２２の処理が実行される。
【００７０】
その後、定型文抽出部１０８は、送信メール（１）の文章に、キーワード登録部１０６に登録されたキーワードが含まれているか否かを判定する（ステップＳ２５）。送信メール（１）が送信され、図４で説明したステップＳ１１〜Ｓ１５の処理が実行された時点では、図７（Ｃ）に示すように、キーワード手動登録処理によって登録されたキーワードしかキーワード登録部１０６に登録されていない。なお、キーワード自動登録処理によって登録されたキーワードは、この時点では、図７（Ｄ）に示すようにまだ無い。
【００７１】
定型文抽出部１０８は、図７（Ｅ）に示すように、送信メール（１）の文章の中からキーワード手動登録処理によって登録されたキーワード“残業”が含まれる文章、“明日は残業２時間です。”を抽出し、定型文登録部１０９に出力する。定型文登録部１０９は、図７（Ｆ）に示すように、この文章を登録する（ステップＳ２６）。
【００７２】
送信メール（２）についても、上記処理を実行する。
送信メール（ｘ）の場合、図７（Ａ）に示した送信メール（ｘ）が送信されると、図４で説明したステップＳ１１〜ステップＳ１６のキーワード登録処理が実行され、図７（Ｄ）に示すように、登録キーワードとして“お疲れ様”がキーワード登録部１０６に登録される。
【００７３】
定型文抽出部１０８は、図７（Ｅ）に示すように、送信メール（ｘ）の文章の中からキーワード自動登録処理によって登録されたキーワード“お疲れ様”が含まれる文章“お疲れ様でした。”キーワード手動登録処理によって登録されたキーワード“電車”が含まれる文章“今、電車です。”を抽出し、定型文登録部１０９に出力する。定型文登録部１０９は、この文章を、図５（Ｆ）に示すように、登録する（ステップＳ２６）。なお、登録時に、キーワード手動登録処理によって登録されたキーワードが含まれる文章と、キーワード自動登録処理によって登録されたキーワードが含まれる文章とを区別して登録し、文頭文字によって、ソートしてもよい。
以後、送信メール（ｙ）〜送信メール（ｎ）についても、同様の処理を実行する。
【００７４】
最後に、登録された定型文の表示処理を説明する。
図８は、定型文表示処理の流れを説明するフロー図、図９は、定型文表示処理を説明する概念図である。
【００７５】
ステップＳ３１では、文字入力装置１は、定型文アプリ画面表示処理を実行する。なお、詳細については、図２のステップＳ１で説明したので説明を省略する。
このとき、図９（Ａ）に示すように、表示パネル２０４に、定型文アプリ画面が表示される。
【００７６】
ステップＳ３２では、文字入力装置１は、定型文一覧画面表示処理を実行する。
このとき、図９（Ｂ）に示すように、表示パネル２０４に、定型文一覧画面が表示される。
【００７７】
ステップＳ３３では、文字入力装置１は、自動登録定型文画面表示処理を実行する。
具体的には、ユーザは、図９（Ｂ）に示すように、操作部２０１の操作キーを操作して、電子機器２に対して自動登録定型文画面表示指示を行う。
【００７８】
制御部１１２は、制御部２０５を介してこの自動登録定型文画面表示指示を受け付けると、定型文呼出部１１０に定型文登録部１０９に登録されている定型文を呼び出し、表示処理部１１１に出力するように指示する。定型文呼出部１１０は、この指示を受け付けると、定型文登録部１０９に登録されている定型文を呼び出し、表示処理部１１１に出力する。表示処理部１１１は、この定型文を電子機器２の表示パネル２０４に表示出力する。
このとき、図９（Ｃ）に示すように、表示パネル２０４に、自動登録された定型文が表示される。
【００７９】
なお、図９（Ｃ）において、キーワードに下線を付したり、色分けして強調表示してもよい。また、このキーワードが自動登録されたものか、手動登録されたものかを区別して表示してもよい。他にも、定型文が登録された時間、定型文の利用回数等から、優先度をつけて定型文を表示してもよい。さらに、登録した定型文の個数が所定値を超えたら、古いものから自動的に削除してもよいし、優先度の高い定型文は削除されないようにしてもよい。また、文字入力エディタソフトの起動と連動して、サブ画面として、定型文アプリ画面を表示してもよい。
【００８０】
このようにすることで、ユーザが自ら入力したキーワードや頻繁に使用されるキーワードを含む文章が入力された場合、この文章を定型文として自動登録することができる。その結果、ユーザにとって最適な定型文を簡易な操作で登録でき、利便性が向上する。
【符号の説明】
【００８１】
１…文字入力装置、１０１…文字入力部、１０２…形態素解析部、１０３…単語記憶部、１０４…キーワード抽出部、１０５…キーワード抽出条件設定部、１０６…キーワード登録部、１０７…文章抽出部、１０８…定型文抽出部、１０９…定型文登録部、１１０…定型文呼出部、１１１…表示処理部、１１２…制御部、２…電子機器、２０１…操作部、２０１ａ…登録キー、２０１ｂ…自動キー、２０２…電子メール処理部、２０３…携帯電話機能部、２０４…表示パネル、２０５…制御部。
【図１】
2011191910.tif 000003
【図２】
2011191910.tif 000004
【図３】
2011191910.tif 000005
【図４】
2011191910.tif 000006
【図５】
2011191910.tif 000007
【図６】
2011191910.tif 000008
【図７】
2011191910.tif 000009
【図８】
2011191910.tif 000010
【図９】
2011191910.tif 000011